(57)【要約】【課題】  アナログ伝送及びＩＰネットワーク伝送の映像システムにおいて、映像データ伝送の際に何らかの障害が発生した場合、どこに障害が発生したかを簡易に診断する映像障害判断システムを提供する。【解決手段】  映像障害判断システム１００は、撮影した映像信号を受信する映像信号接続部２ａ〜４ａと、映像信号接続部を制御し所望のカメラが撮影した映像信号を表示部８に表示させる映像表示制御部１ｃと、映像信号接続部より受信する映像信号を監視する映像信号監視部２ｂ〜４ｂと、映像信号監視部による監視の情報を基に伝送障害が発生していることを検知する伝送障害検知部１ｂとを備える。【選択図】      図１
2009200957.tif 000002
【特許請求の範囲】
【請求項１】
複数のカメラで撮影した映像信号を伝送し表示部に表示するための映像システムであって、
前記撮影した映像信号を受信する映像信号接続部と、
前記映像信号接続部を制御し、所望のカメラが撮影した映像信号を前記表示部に表示させる映像表示制御部と、
前記映像信号接続部より受信する映像信号を監視する映像信号監視部と、
前記映像信号監視部による前記監視の情報を基に、前記伝送において伝送障害が発生していることを検知する伝送障害検知部
とを備えることを特徴とする映像障害判断システム。
【請求項２】
前記映像信号はアナログ信号にて伝送され、
前記映像信号監視部はエンコーダであり、
前記伝送障害検知部は、前記エンコーダにて入出力される前記映像信号を基に、前記伝送において伝送障害が発生していることを検知する
ことを特徴とする請求項１に記載の映像障害判断システム。
【請求項３】
前記映像信号はＩＰネットワークにてデジタル信号で伝送され、
前記映像信号監視部はデコーダであり、
前記伝送障害検知部は、前記デコーダにて入出力される前記映像信号を基に、前記伝送において伝送障害が発生していることを検知する
ことを特徴とする請求項１に記載の映像障害判断システム。
【発明の詳細な説明】
【技術分野】
【０００１】
本発明は、アナログ及びデジタルの映像システムにおいて、映像データ伝送の際に何らかの障害が発生した場合、どこにその障害が発生したかを診断する為の映像障害判断システムに関する。
【背景技術】
【０００２】
映像システムは、従来は２ポイント間の映像を伝送するものであったが、現在ではマルチポイントの映像をマルチポイントで閲覧できるシステムと変遷し、それに伴いシステムは大規模化している。
【０００３】
映像システムの構成としては、従来からのアナログ伝送をベースとしたシステムと、デジタル伝送をベースとしたシステムがある。デジタル伝送のシステムでは、ＭＰＥＧ２などの圧縮技術を用いたイーサネット（登録商標）対応のエンコーダ及びデコーダをＬＡＮスイッチに接続し、上位プロトコルにＩＰを用いたＩＰネットワーク伝送をベースとしている。この他、アナログ伝送とＩＰネットワーク伝送が混在した映像システムもある。これらの映像システムの監視は、アナログ伝送では接点監視（特許文献１参照）、ＩＰネットワーク伝送ではネットワーク監視装置を導入して（特許文献２参照）、映像データの流れを監視するのが一般的である。
【特許文献１】特開２００５−２７５５７０号公報
【特許文献２】特開２００７−２２６３９０号公報
【発明の開示】
【発明が解決しようとする課題】
【０００４】
しかしながら特許文献１及び２のようなシステム構成では、映像システムが大規模となると、障害発生時にどこで障害が発生しているのかの切り分け作業に時間がかかるようになってきた。アナログ伝送ベースの接点監視では障害を接点で通知するものであるが、機器が接点通知できない様な状態では十分な監視ができなかった。また、ＩＰネットワーク伝送ベースでのネットワーク監視装置は高価であり、更に元々ネットワーク機器を監視するものであるため、映像システムの監視に適するものではなかった。
【０００５】
本発明は、上記の問題点に鑑みてなされたものであり、アナログ伝送及びＩＰネットワーク伝送の映像システムにおいて、映像データ伝送の際に何らかの障害が発生した場合、どこにその障害が発生したかを簡易に診断する為の映像障害判断システムを提供することを目的とする。
【課題を解決するための手段】
【０００６】
上記の問題点を鑑みて、本発明の特徴は、(イ)複数のカメラで撮影した映像信号を伝送し表示部に表示するための映像システムであって、撮影した映像信号を受信する映像信号接続部と、（ロ）映像信号接続部を制御し、所望のカメラが撮影した映像信号を表示部に表示させる映像表示制御部と、(ハ)映像信号接続部より受信する映像信号を監視する映像信号監視部と、（ニ）映像信号監視部による監視の情報を基に、伝送において伝送障害が発生していることを検知する伝送障害検知部とを備える映像障害判断システムであることを要旨とする。
【０００７】
本発明の特徴は、（ホ）映像信号はアナログ信号にて伝送され、（ヘ）映像信号監視部はエンコーダであり、（ト）伝送障害検知部は、エンコーダにて入出力される映像信号を基に、伝送において伝送障害が発生していることを検知する
ことを加えても良い。
【０００８】
本発明の特徴は更に、（チ）映像信号はＩＰネットワークにてデジタル信号で伝送され、（リ）映像信号監視部はデコーダであり、（ヌ）伝送障害検知部は、デコーダにて入出力される映像信号を基に、伝送において伝送障害が発生していることを検知することを加えても良い。
【発明の効果】
【０００９】
本発明の映像障害判断システムによると、アナログ伝送及びＩＰネットワーク伝送の映像システムにおいて、映像データ伝送の際に何らかの障害が発生した場合、どこにその障害が発生したかを簡易に診断することができる。
【００１０】
アナログ伝送の映像障害判断システムでは、カメラで撮影された映像をエンコーダに伝送し、エンコーダにおける映像入力の切断を検知することにより、どこに障害が発生したかを簡易に判断することができる。
【００１１】
ＩＰネットワーク伝送の映像障害判断システムでは、カメラで撮影された映像をデコーダに伝送し、デコーダにおける映像入力の切断を検知することにより、どこに障害が発生したかを簡易に判断することができる。
【発明を実施するための最良の形態】
【００１２】
以下、本発明の実施の形態に係る映像障害判断システムについて説明する。尚、本発明の実施の形態において使用される機器、手法等は一例であり、本発明はこれらに限定されるものではないことは勿論である。
【００１３】
（第１の実施の形態）
（映像障害判断システム）
先ず、本発明の第１の実施の形態に係る映像障害判断システム１００について、図１を用いて説明する。映像障害判断システム１００は、例えば、大雨による河川の氾濫等を監視するために使用され、一定区域内の河川岸等の各撮影エリアを撮影するカメラ５ａ、５ｂ、５ｃ、６ａ、６ｂ、６ｃ、７ａ、７ｂ、７ｃ、カメラ５ａ〜５ｃの管理を行う出張所２、カメラ６ａ〜６ｃの管理を行う出張所３、カメラ７ａ〜７ｃの管理を行う出張所４、各出張所２，３，４から送信される映像を表示して各撮影エリアの様子を監視し、送信される映像が遮断される等の障害が発生した場合、どの部にて障害が発生しているのかを判断する事務局１等を備える。事務局１と出張所２〜４はアナログ伝送網又はデジタル伝送網にて接続可能となっている。図示していないが出張所２〜４間においてもアナログ伝送網又はデジタル伝送網にて接続可能としてもよい。
【００１４】
出張所２〜４は、カメラ５ａ〜７ｃにて撮影された映像信号をアナログ伝送網又はデジタル伝送網に接続するための映像信号接続部２ａ，３ａ，４ａ、撮影された映像信号を受信し、映像が切断されている等の障害があるかを監視する映像信号監視部２ｂ，３ｂ，４ｂを備えている。
【００１５】
事務局１は、撮影された映像信号を受信する為にアナログ伝送網又はデジタル伝送網に接続する映像信号接続部１ａ、映像信号監視部２ｂ〜４ｂにて障害が発生しているかを診断・検知する伝送障害検知部１ｂ、出張所２〜４の映像信号接続部２ａ〜４ａを制御し、所望のカメラ５ａ〜７ｃが撮影した映像信号を表示部８に表示させる映像表示制御部１ｃ等を備える。
【００１６】
事務局１の伝送障害検知部１ｂは、カメラ５ａ〜７ｃの撮影中に各々の映像信号監視部２ｂ〜４ｂを監視する。具体的には、カメラ５ａ〜７ｃが撮影した映像が切断しているか検知する。
【００１７】
映像障害判断システム１００の動作について説明する。例えば、出張所２においてカメラ５ａが故障しているとする。この場合、映像信号監視部２ｂにはカメラ５ｂ，５ｃからは正しく映像信号を受信しているが、カメラ５ａからの映像信号は正しく受信されないという情報が入出力されている。事務局１の伝送障害検知部１ｂは映像信号監視部２ｂを監視する際にこの情報を受け取り、カメラ５ａに障害が発生していると診断する。
【００１８】
この他にも、出張所２の映像信号監視部２ｂに障害が発生したとする。この場合映像信号監視部２ｂには、カメラ５ａ〜５ｃからの映像信号が正しく受信されていないという情報が入出力されている。事務局１の伝送障害検知部１ｂは映像信号監視部２ｂを監視する際にこの情報を受け取り、映像信号監視部２ｂが故障している、又はカメラ５ａ〜５ｃに障害が発生していると診断する。
【００１９】
このように本発明の第１の実施の形態に係る映像障害判断システムによると、映像システムにおいて、映像データ伝送の際に何らかの障害が発生した場合、どこにその障害が発生したかを簡易に診断することができる。
【００２０】
（第２の実施の形態）
（アナログ伝送ベースの映像障害判断システム）
次にアナログ伝送ベースにおいて映像信号の障害を判断する映像障害判断システム２００について説明する。
【００２１】
映像障害判断システム２００は、図２に示すように、サーバ１１と、ＬＡＮスイッチ１２ａ，１２ｂと、信号変換部１３ａ，１３ｂと、エンコーダ１４ａ，１４ｂと、ビデオスイッチ１５ａ，１５ｂと、モニタ１６と、カメラ１７ａ,１７ｂ,１７ｃとを備えている。
【００２２】
カメラ１７ａ〜１７ｃは、撮影したカメラ映像をアナログ信号で出力する。
【００２３】
ビデオスイッチ１５ａ，１５ｂは、複数のアナログ信号（カメラ映像）を受信し、スイッチ機能により映像を他の装置に出力する。モニタ１６はカメラ１７ａ〜１７ｃが撮影した映像を表示する。
【００２４】
信号変換部１３ａ，１３ｂは、イーサネット（登録商標）上の映像データをシリアル信号（映像信号）に変換、またはシリアル信号をイーサネット（登録商標）上の映像データに変換する。
【００２５】
エンコーダ１４ａ，１４ｂは、ビデオスイッチ１５ａ，１５ｂからの映像を入力して符号化処理し、圧縮データを出力する。ＬＡＮスイッチ１２ａ，１２ｂは、映像システムのＩＰネットワーク上のスイッチングハブであり、受信したパケットの制御情報フィールド（ヘッダ）に記述されたあて先のＭＡＣアドレスを読み取り、アドレステーブルを参照して、そのＭＡＣアドレスの機器が接続された特定のポートだけに送出する。ＬＡＮスイッチ１２ａ，１２ｂは、サーバ１１と、ビデオスイッチ１５ａ,１５ｂ及びエンコーダ１４ａ,１４ｂ間の制御データの伝送を行う。
【００２６】
サーバ１１はビデオスイッチ制御手段１１ａ及び伝送障害検知手段１１ｂを備える。ビデオスイッチ制御手段１１ａは、ビデオスイッチ１５ａ，１５ｂに対しどの映像をどこの出力映像にするかを制御する。伝送障害検知手段１１ｂは、エンコーダ１４ａ，１４ｂの符号化処理するカメラ映像を順次検査し、映像データ入力が切断されていないかを判断し、映像データ入力の切断があった場合、どこに障害が発生しているかを判断する。
【００２７】
尚、図２においてビデオスイッチは２つとなっているが、これは最小数であり、映像システムの拡大によりビデオスイッチ及びそれに接続されるエンコーダ、信号変換装置、ＬＡＮスイッチの組み合わせ数は増加して構わない。
【００２８】
（映像障害判断システムの動作）
次に映像障害判断システム２００の動作について図３のフローチャートを参照して説明する。以下の動作では、サーバ１１のビデオスイッチ制御手段１１ａが、ビデオスイッチ１５ａ，１５ｂを制御し、所望のカメラ１７ａ〜１７ｃが撮影するカメラ映像をモニタ１６に表示する際の映像障害判断の動作について説明する。
【００２９】
（ａ）ステップＳ１０１において、カメラ１７ａ〜１７ｃが撮影する映像信号がビデオスイッチ１５ａに入力されると、ステップＳ１０２において、ビデオスイッチ１５ａは、サーバ１１からの制御に従い、入力された映像信号を適宜ビデオスイッチ１５ｂ、エンコーダ１４ａ及び信号変換部１３ａに出力する。エンコーダ１４ａはこの映像信号を圧縮処理等し、信号変換部１３ａは映像信号（シリアル信号）を適応するデータに変換する。
【００３０】
（ｂ）ステップＳ１０３においてサーバ１１の伝送障害検知手段１１ｂは、エンコーダ１４ａが圧縮処理等する映像信号の出力の有無を判断する。尚、圧縮処理された映像信号は映像信号の有無の判断のみに使用され、この後エンコーダ等にエンコードされることはない。ステップＳ１０４にて映像信号の出力が検知されない場合、障害発生と診断され、ステップＳ１０９へ進む。ステップＳ１０４にて映像信号の出力が正常であった場合、ステップＳ１０５へ進む。
【００３１】
（ｃ）ステップＳ１０５においては、ステップＳ１０２でビデオスイッチ１５ａから出力される映像信号をビデオスイッチ１５ｂが受信し、ビデオスイッチ１５ｂはこの受信した映像信号を、サーバ１１からの制御に従い、適宜エンコーダ１４ｂ、信号変換部１３ｂ及びモニタ１６に出力する。エンコーダ１４ｂはこの映像信号を圧縮処理等し、信号変換部１３ｂは映像信号を適応するデータに変換する。
【００３２】
（ｄ）ステップＳ１０６においてサーバ１１の伝送障害検知手段１１ｂは、エンコーダ１４ｂが圧縮処理等する映像信号の出力の有無を判断する。尚、圧縮処された映像信号は映像信号の有無の判断のみに使用され、この後エンコーダ等にエンコードされることはない。ステップＳ１０７にて映像信号の出力が検知されない場合、障害発生と診断され、ステップＳ１０９へ進む。ステップＳ１０７にて映像信号の出力が正常であった場合、モニタ１６には所望のカメラが撮影した映像が表示され、又ステップＳ１０１〜Ｓ１０７の処理が繰り返される。
【００３３】
（ｅ）ステップＳ１０９では、伝送障害検知手段１１ｂが、障害が発生したこと及び発生箇所を示す情報をモニタ１６に表示する。
【００３４】
（実施例１）
実施例として図２中のビデオスイッチ１５ａからビデオスイッチ１５ｂへの出力１（カメラ１７ａの映像）が無かった、つまりビデオスイッチ１５ａとビデオスイッチ１５ｂ間のケーブル等にて障害が発生している場合の障害検知処理について説明する。尚、サーバ１１のビデオスイッチ制御手段１１ａは、カメラ１７ａ〜１７ｃで撮影された映像をビデオスイッチ１５ａ，１５ｂを介してモニタ１６に出力するように制御している。
【００３５】
（ａ）エンコーダ１４ａは、ビデオスイッチ１５ａに接続されているカメラ１７ａ〜１７ｃから映像を順次受信し圧縮処理等を行う。サーバ１１の伝送障害検知手段１１ｂは、圧縮処理の際のエンコーダ１４ａの映像データの入出力状況を観察することで、カメラ１７ａ〜１７ｃ及びビデオスイッチ１５ａが正しく動作しているか判断する。この場合、カメラ１７ａ〜１７ｃ及びビデオスイッチ１５ａには障害は無い為、エンコーダ１４ａでは正しく映像データ入出力が行われ、伝送障害検知手段１１ｂは、カメラ１７ａ〜１７ｃ及びエンコーダ１４ａには障害は無いと判断する。
【００３６】
（ｂ）同様に、エンコーダ１４ｂは、ビデオスイッチ１５ａ，１５ｂを介して、カメラ１７ａ〜１７ｃからの映像を順次受信し圧縮処理等を行う。サーバ１１の伝送障害検知手段１１ｂは、圧縮処理の際のエンコーダ１４ｂの映像データの入出力状況を観察することで、ビデオスイッチ１５ａとビデオスイッチ１５ｂ間の接続、及びビデオスイッチ１５ｂが正しく動作しているか判断する。この場合、ビデオスイッチ１５ａの出力１に障害がある為、入力１では正しく映像データが受信されない。エンコーダ１４ｂはこの状態で入力された映像データの圧縮処理を行い、伝送障害検知手段１１ｂは、エンコーダ１４ｂの映像データの入出力状況を観察し、入力１、つまりカメラ１７ａからの映像がないことを判断する。ちなみに他の入力（例えば入力２）は正常であるものとする。
【００３７】
この場合、カメラ１７ａか、ビデオスイッチ１５ａか、ビデオスイッチ１５ａ，１５ｂ間か、ビデオスイッチ１５ｂにて障害が発生していると考えられる。しかしエンコーダ１４ａは正常である為、カメラ１７ａ及びビデオスイッチ１５ａは正常である。他の入力２はある為、ビデオスイッチ１５ｂは正常である。よって残されたビデオスイッチ１５ａ，１５ｂ間に障害があると伝送障害検知手段１１ｂは判断し、モニタ１６にビデオスイッチ１５ａ，１５ｂ間に障害が発生していることを通知する。
【００３８】
（その他の実施例）
他の例として、ビデオスイッチ１５ｂが故障していることが原因でカメラ１７ａ〜１７ｃの映像がモニタ１６に映らない場合、伝送障害検知手段１１ｂは、エンコーダ１４ａは正常で、エンコーダ１４ｂには映像データの入出力が全くないことを判断し、ビデオスイッチ１５ｂに障害が発生していると判断する。
【００３９】
又、カメラ１７ａが故障していることが原因でカメラ１７ａの映像がモニタ１６に映らない場合、伝送障害検知手段１１ｂは、エンコーダ１４ａにカメラ１７ａの映像の入出力が無く、エンコーダ１４ｂにもカメラ１７ａの映像の入出力が無いと判断し、カメラ１７ａ又はカメラ１７ａ及びビデオスイッチ１５ａ間にて障害が発生していると判断する。
【００４０】
又、ビデオスイッチ１５ａが故障していることが原因でカメラ１７ａ〜１７ｃの映像がモニタ１６に映らない場合、伝送障害検知手段１１ｂは、エンコーダ１４ａに映像データの入出力が全く無いことを判断し、ビデオスイッチ１５ａに障害が発生していると判断する。
【００４１】
このように本発明の第２の実施の形態に係る映像障害判断システム２００によると、エンコーダの映像信号入出力を観察することにより、映像システム全体の映像障害状況を簡易に判断することが出来る。
【００４２】
（第３の実施の形態）
（ＩＰネットワーク伝送ベースの映像障害判断システム）
次にＩＰネットワーク伝送ベースにおいて映像信号の障害を判断する映像障害判断システム３００について説明する。
【００４３】
映像障害判断システム３００は、図４に示すように、サーバ２１と、ＬＡＮスイッチ２２ａ，２２ｂと、デコーダ２３ａ，２３ｂと、エンコーダ２４ａ，２４ｂと、カメラ２５ａ，２５ｂと、モニタ２６ａ，２６ｂとを備えている。
【００４４】
カメラ２５ａ，２５ｂは、撮影したカメラ映像をアナログ信号で出力する。
【００４５】
エンコーダ２４ａ，２４ｂは、カメラ２５ａ，２５ｂから出力される映像を入力し、圧縮データとして出力する。尚、第３の実施の形態においてはエンコーダ２４ａ，２４ｂは通常のデータ圧縮装置として用いられる。
【００４６】
ＬＡＮスイッチ２２ａ，２２ｂは、映像システムのネットワーク上のスイッチングハブであり、受信したパケットの制御情報フィールド（ヘッダ）に記述されたあて先のＭＡＣアドレスを読み取り、アドレステーブルを参照して、そのＭＡＣアドレスの機器が接続された特定のポートだけに送出する。
【００４７】
デコーダ２３ａ，２３ｂは、ＩＰネットワーク上の映像圧縮データを受信し、復号化し、アナログ映像として出力する。
【００４８】
モニタ２６ａ、２６ｂは、カメラ２５ａ，２５ｂが撮影した映像を表示する。
【００４９】
サーバ２１は、ＬＡＮスイッチ制御手段２１ａ及び伝送障害検知手段２１ｂを備える。ＬＡＮスイッチ制御手段２１ａは、ＬＡＮスイッチ２２ａ，２２ｂにおいてどの入力映像をどこの出力映像にするかを制御する。伝送障害検知手段２１ｂは、デコーダ２３ａ，２３ｂの復号処理するカメラ映像を順次検査し、映像データ入力が切断されていないかを判断し、映像データ入力の切断があった場合、どこに障害が発生しているかを判断する。
【００５０】
（映像障害判断システムの動作）
次に映像障害判断システム３００の動作について図５のフローチャートを参照して説明する。以下の動作では、サーバ２１のＬＡＮスイッチ制御手段２１ａが、ＬＡＮスイッチ２２ａ，２２ｂを制御し、所望のカメラ２５ａ，２５ｂが撮影するカメラ映像をモニタ２６ａ，２６ｂに表示する際の映像障害判断の動作について説明する。
【００５１】
（ａ）ステップＳ２０１において、カメラ２５ａ，２５ｂが撮影する映像信号がエンコーダ２４ａ，２４ｂに入力されると、エンコーダ２４ａ，２４ｂは入力された映像信号に圧縮処理等を行い、符号化映像信号とする。符号化映像信号はＬＡＮスイッチ２２ａに送信される。
【００５２】
（ｂ）ステップＳ２０２においては、ＬＡＮスイッチ２２ａは受信した符号化映像信号をＬＡＮスイッチ２２ｂ及びデコーダ２３ａに送信する。デコーダ２３ａでは、受信した符号化映像信号の復号化処理が行われる。
【００５３】
（ｂ）ステップＳ２０３においてサーバ２１の伝送障害検知手段２１ｂは、ＬＡＮスイッチ２２ａ，２２ｂを介して、デコーダ２３ａが復号化処理等する映像信号の出力の有無を判断する。尚、復号化処理された映像信号はモニタ２６ａに送信される。ステップＳ２０４にて映像信号の出力が検知されない場合、障害発生と診断され、ステップＳ２０９へ進む。ステップＳ２０４にて映像信号の出力が正常であった場合、ステップＳ２０５へ進む。
【００５４】
（ｃ）ステップＳ２０５においては、ステップＳ２０２でＬＡＮスイッチ２２ａから出力される符号化映像信号をＬＡＮスイッチ２２ｂが受信し、ＬＡＮスイッチ２２ｂはこの受信した符号化映像信号をデコーダ２３ｂに出力する。デコーダ２３ｂはこの符号化映像信号を復号化処理等する。
【００５５】
（ｄ）ステップＳ２０６においてサーバ２１の伝送障害検知手段２１ｂは、ＬＡＮスイッチ２２ｂを介して、デコーダ２３ｂが復号化処理等する映像信号の出力の有無を判断する。尚、復号化された映像信号はモニタ２６ｂに送信される。ステップＳ２０７にて映像信号の出力が検知されない場合、障害発生と診断され、ステップＳ２０９へ進む。ステップＳ２０７にて映像信号の出力が正常であった場合、モニタ２６ａ，２６ｂには所望のカメラ２５ａ，２５ｂが撮影した映像が表示され、又ステップＳ２０１〜Ｓ２０７の処理が繰り返される。
【００５６】
（ｅ）ステップＳ２０９では、伝送障害検知手段２１ｂが、障害が発生したこと及び発生箇所を示す情報をモニタ２６ａ，２６ｂに表示する。
【００５７】
（実施例１）
実施例として図４中のＬＡＮスイッチ２２ａからＬＡＮスイッチ２２ｂへの符号化映像の出力が無かった、つまりＬＡＮスイッチ２２ａ、又はＬＡＮスイッチ２２ａとＬＡＮスイッチ２２ｂ間のケーブル等にて障害が発生している場合の障害検知処理について説明する。尚、サーバ２１のＬＡＮスイッチ制御手段２１ａは、カメラ２５ａ，２５ｂで撮影された映像をＬＡＮスイッチ２２ａ，２２ｂを介してモニタ２６ａ，２６ｂに出力するように制御している。
【００５８】
（ａ）デコーダ２３ａは、ＬＡＮスイッチ２２ａに接続されているエンコーダ２４ａ，２４ｂから映像を順次受信し復号化処理等を行う。サーバ２１の伝送障害検知手段２１ｂは、復号化処理の際のデコーダ２３ａの映像データの入出力状況を観察することで、カメラ２５ａ，２５ｂ、エンコーダ２４ａ，２４ｂ及びＬＡＮスイッチ２２ａが正しく動作しているか判断する。この場合、カメラ２５ａ，２５ｂ、エンコーダ２４ａ，２４ｂ及びＬＡＮスイッチ２２ａには障害は無い為、デコーダ２３ａでは正しく映像データ入出力が行われるが、ＬＡＮスイッチ２２ａ、又はＬＡＮスイッチ２２ａとＬＡＮスイッチ２２ｂ間のケーブル等にて障害発生しているため、伝送障害検知手段２１ｂは、カメラ２５ａ，２５ｂ、エンコーダ２４ａ，２４ｂ及びＬＡＮスイッチ２２ａ全てに障害が発生していると判断する。
【００５９】
（ｂ）同様に、デコーダ２３ｂは、ＬＡＮスイッチ２２ａ，２２ｂを介して、エンコーダ２４ａ，２４ｂからの映像を順次受信し復号化処理等を行う。サーバ２１の伝送障害検知手段２１ｂは、復号化処理の際のデコーダ２３ｂの映像データの入出力状況を観察することで、ＬＡＮスイッチ２２ａとＬＡＮスイッチ２２ｂ間の接続及びＬＡＮスイッチ２２ｂが正しく動作しているか判断する。この場合、ＬＡＮスイッチ２２ａとＬＡＮスイッチ２２ｂ間の接続に障害がある為、ＬＡＮスイッチ２２ｂでは正しく映像データが受信されない。デコーダ２３ｂはこの状態で入力された映像データの復号化処理を行い、伝送障害検知手段２１ｂは、エンコーダ１４ｂの映像データの入出力状況を観察し、ＬＡＮスイッチ２２ｂからの映像がないことを判断する。
【００６０】
この場合、カメラ２５ａ，２５ｂか、エンコーダ２４ａ，２４ｂか、ＬＡＮスイッチ２２ａか、ＬＡＮスイッチ２２ａ，２２ｂ間か、ＬＡＮスイッチ２２ｂにて障害が発生していると考えられる。しかしカメラ２５ａ，２５ｂ、エンコーダ２４ａ，２４ｂが全て障害になる確立は低い。また、ＳＮＭＰ・ＴｒａｐやＰｉｎｇ等を送受信したり、図示しない他のＬＡＮスイッチとの接続状態を確認することにより、ＬＡＮスイッチ２２ｂが正常であることは確認できる。よって残されたＬＡＮスイッチ２２ａ、又はＬＡＮスイッチ２２ａ，２２ｂ間に障害があると伝送障害検知手段２１ｂは判断し、モニタ２６ｂにＬＡＮスイッチ２２ａ、又はＬＡＮスイッチ２２ａ，２２ｂ間に障害が発生していることを通知する。
【００６１】
（その他の実施例）
他の例として、ＬＡＮスイッチ２２ｂが故障していることが原因で映像がモニタ２６ａに映らない場合、伝送障害検知手段２１ｂは、カメラ２５ａ，２５ｂ、エンコーダ２４ａ，２４ｂ及びＬＡＮスイッチ２２ａ、ＬＡＮスイッチ２２ｂ、及びデコーダ２３ｂ全てに障害が発生していること判断し、この場合は全て障害になる確立は低く、ＬＡＮスイッチ２２ｂが障害により全てが障害になったと判断することができる。また、ＳＮＭＰ・Ｔｒａｐ等の送受信や図示しない他のＬＡＮスイッチとの接続状態の確認により、ＬＡＮスイッチ２２ｂに障害が発生していると判断することも可能である。
【００６２】
又、カメラ２５ａが故障していることが原因でカメラ２５ａの映像がモニタ２６ａ，２６ｂに映らない場合、伝送障害検知手段２１ｂは、デコーダ２３ａにカメラ２５ａの映像の入出力が無いことを判断し、カメラ２５ａ又はエンコーダ２４ａにて障害が発生していると判断する。
【００６３】
このように本発明の第３の実施の形態に係る映像障害判断システム３００によると、デコーダの映像信号入出力を観察することにより、映像システム全体の映像障害状況を簡易に判断することが出来る。
【図面の簡単な説明】
【００６４】
【図１】本発明の第１の実施の形態に係る映像障害判断システムの構成を示す図である。
【図２】本発明の第２の実施の形態に係る映像障害判断システムの構成を示す図である。
【図３】本発明の第２の実施の形態に係る映像障害判断システムの動作を示すフロー図である。
【図４】本発明の第３の実施の形態に係る映像障害判断システムの構成を示す図である。
【図５】本発明の第３の実施の形態に係る映像障害判断システムの動作を示すフロー図である。
【符号の説明】
【００６５】
１…事務局
１ａ…映像信号接続部
１ｂ…伝送障害検知部
１ｃ…映像表示制御部
２，３，４…出張所
２ａ，３ａ，４ａ…映像信号接続部
２ｂ，３ｂ，４ｂ…映像信号監視部
５ａ〜７ｃ…カメラ
８…表示部
１１…サーバ
１１ａ…ビデオスイッチ制御手段
１１ｂ…伝送障害検知手段
１２ａ，１２ｂ…ＬＡＮスイッチ
１３ａ，１３ｂ…信号変換部
１４ａ,１４ｂ…エンコーダ
１５ａ,１５ｂ…ビデオスイッチ
１６…モニタ
１７ａ,１７ｂ,１７ｃ…カメラ
２１…サーバ
２１ａ…ＬＡＮスイッチ制御手段
２１ｂ…伝送障害検知手段
２２ａ，２２ｂ…ＬＡＮスイッチ
２３ａ，２３ｂ…デコーダ
２４ａ，２４ｂ…エンコーダ
２５ａ，２５ｂ…カメラ
２６ａ，２６ｂ…モニタ
１００,２００,３００…映像障害判断システム
【図１】
2009200957.tif 000003
【図２】
2009200957.tif 000004
【図３】
2009200957.tif 000005
【図４】
2009200957.tif 000006
【図５】
2009200957.tif 000007